(57)【特許請求の範囲】
【請求項１】
股間部から腹側に延在する前身頃をなす外装シートの両側部と股間部から背側に延在する後身頃をなす外装シートの両側部とが接合されてサイドシール部が形成されるとともに、装着者の胴を通すためのウエスト開口部及び脚を通すための左右一対の脚開口部がそれぞれ形成され、前記外装シートの内側に吸収体を含む内装体が設けられた、パンツタイプ使い捨ておむつにおいて、
前記前身頃をなす外装シート及び後身頃をなす外装シートのうち少なくとも前記サイドシール部を有する縦方向領域は、それぞれ幅方向に弾性伸縮するように構成されており、
前記前身頃をなす外装シートのうち前記サイドシール部を有する縦方向領域は、ウエスト開口部の縁部を形成する前ウエスト縁部領域、この前ウエスト縁部領域より股間側に位置し、装着者の腸骨領域に当接する腸骨当接領域、装着者の下腹部に当接する下腹部当接領域とからなり、
前ウエスト縁部領域の縦方向長さはおむつ全長の２〜１２％であり、腸骨当接領域の縦方向長さはおむつ全長の２〜１４％であり、下腹部当接領域の縦方向長さはおむつ全長の５〜１９％であり、
前記前ウエスト縁部領域の幅方向の弾性変形時引張力をＦfw、前記腸骨当接領域の幅方向の弾性変形時引張力をＦfi、前記下腹部当接領域の幅方向の弾性変形時引張力をＦfdとしたとき、Ｆfd＞Ｆfw＞Ｆfiの関係を満たすものであり、
前記前身頃をなす外装シートは、少なくとも前ウエスト縁部領域、腸骨当接領域及び下腹部当接領域にわたる一体的な伸縮不織布と、当該伸縮不織布における前ウエスト縁部領域に縦方向に間隔を空けて固定された多数の幅方向に沿う細長状の前ウエスト縁部弾性伸縮部材と、当該伸縮不織布における下腹部当接領域に縦方向に間隔を空けて固定された多数の幅方向に沿う細長状の下腹部弾性伸縮部材とを有し、当該伸縮不織布における腸骨当接領域には弾性伸縮部材を有しないものであるとともに、
前ウエスト縁部弾性伸縮部材及び下腹部弾性伸縮部材の二者間で、縦方向配置間隔、太さ、固定時の伸長率及び本数の少なくとも一つを異ならしめることにより、前記Ｆfd＞Ｆfw＞Ｆfiの関係を満たすように構成した、
ことを特徴とする、パンツタイプ使い捨ておむつ。
【請求項２】
前記後身頃をなす外装シートのうち前記サイドシール部を有する縦方向領域は、前記前ウエスト縁部領域と対応する後ウエスト縁部領域と、前記腸骨当接領域と対応する後中間領域と、前記下腹部当接領域と対応する後下端側領域とからなり、
後ウエスト縁部領域の縦方向長さはおむつ全長の２〜１２％であり、後中間領域の縦方向長さはおむつ全長の２〜１４％であり、後下端側領域の縦方向長さはおむつ全長の５〜１９％であり、
前記後ウエスト縁部領域の幅方向の弾性変形時引張力をＦbw、前記後中間領域の幅方向の弾性変形時引張力をＦbi、前記後下端側領域の幅方向の弾性変形時引張力をＦbdとしたとき、Ｆfd＝Ｆbi＝Ｆbd＞Ｆfw＝Ｆbw＞Ｆfiの関係を満たすように構成した、請求項１記載のパンツタイプ使い捨ておむつ。
【請求項３】
前記後身頃をなす外装シートは、少なくとも後ウエスト縁部領域、後中間領域及び後下端側領域にわたる一体的なシート基材と、当該シート基材における後ウエスト縁部領域に縦方向に間隔を空けて幅方向伸長状態で固定された多数の幅方向に沿う細長状の後ウエスト縁部弾性伸縮部材と、当該シート基材における後中間領域に縦方向に間隔を空けて幅方向伸長状態で固定された多数の幅方向に沿う細長状の後第一弾性伸縮部材と、当該シート基材における後下端側領域に縦方向に間隔を空けて幅方向伸長状態で固定された多数の幅方向に沿う細長状の後第二弾性伸縮部材と、を有するものである、請求項１又は２記載のパンツタイプ使い捨ておむつ。
【発明の詳細な説明】
【技術分野】
【０００１】
本発明は、パンツタイプ使い捨ておむつに関するものである。
【背景技術】
【０００２】
パンツタイプ使い捨ておむつは、前身頃及び後身頃を有する外装シートと、この外装シートの内面に固定された、吸収体を含む内装体とを備え、外装シートの前身頃と後身頃とが両側部において接合されてサイドシール部が形成されるとともに、ウエスト開口部及び左右一対の脚開口部が形成されているものである。以下、外装シートと内装体との固定部を内外固定部ともいう。
【０００３】
パンツタイプ使い捨ておむつにおいては、身体へのフィット性を向上させるために、外装シートに、種々の弾性伸縮部材を伸長状態で固定することが行われており、特に、サイドシール部を有する縦方向領域の全体にわたり弾性伸縮部材を備えているもの（特許文献１等）が一般的となっている。
【０００４】
また、ウエスト縁部領域の締め付け圧を相対的に高くすることが一般的であるのに対して、着用者の腸骨領域に対応するおむつの部位の締め付け圧を高めることにより、幼児の丸く膨出したお腹に対して良好にフィットさせ、ズレ落ちを防止することも提案されている（特許文献１参照）。
【先行技術文献】
【特許文献】
【０００５】
【特許文献１】特開２０１０−２７９８１３号公報
【発明の概要】
【発明が解決しようとする課題】
【０００６】
しかし、特許文献１のタイプのパンツタイプおむつは、静的なフィット性という点では従来よりも優れるものの、食事の前後や体の動きに伴うお腹の膨縮や変形によるズレ落ちを防止するという点では従来のものと同程度であり、動的なフィット性という点では改善の余地があった。そして、このようなズレ落ちがあると、おむつ装着時の見栄えが悪化したり、おむつ及び肌間の隙間形成により漏れが発生したりするおそれがある。
【０００７】
そこで、本発明の主たる課題は、腹側における動的なフィット性に優れるパンツタイプおむつを提供することにある。
【課題を解決するための手段】
【０００８】
上記課題を解決した本発明は次記のとおりである。
＜請求項１記載の発明＞
股間部から腹側に延在する前身頃をなす外装シートの両側部と股間部から背側に延在する後身頃をなす外装シートの両側部とが接合されてサイドシール部が形成されるとともに、装着者の胴を通すためのウエスト開口部及び脚を通すための左右一対の脚開口部がそれぞれ形成され、前記外装シートの内側に吸収体を含む内装体が設けられた、パンツタイプ使い捨ておむつにおいて、
前記前身頃をなす外装シート及び後身頃をなす外装シートのうち少なくとも前記サイドシール部を有する縦方向領域は、それぞれ幅方向に弾性伸縮するように構成されており、
前記前身頃をなす外装シートのうち前記サイドシール部を有する縦方向領域は、ウエスト開口部の縁部を形成する前ウエスト縁部領域、この前ウエスト縁部領域より股間側に位置し、装着者の腸骨領域に当接する腸骨当接領域、装着者の下腹部に当接する下腹部当接領域とからなり、
前ウエスト縁部領域の縦方向長さはおむつ全長の２〜１２％であり、腸骨当接領域の縦方向長さはおむつ全長の２〜１４％であり、下腹部当接領域の縦方向長さはおむつ全長の５〜１９％であり、
前記前ウエスト縁部領域の幅方向の弾性変形時引張力をＦfw、前記腸骨当接領域の幅方向の弾性変形時引張力をＦfi、前記下腹部当接領域の幅方向の弾性変形時引張力をＦfdとしたとき、Ｆfd＞Ｆfw＞Ｆfiの関係を満たすものであり、
前記前身頃をなす外装シートは、少なくとも前ウエスト縁部領域、腸骨当接領域及び下腹部当接領域にわたる一体的な伸縮不織布と、当該伸縮不織布における前ウエスト縁部領域に縦方向に間隔を空けて固定された多数の幅方向に沿う細長状の前ウエスト縁部弾性伸縮部材と、当該伸縮不織布における下腹部当接領域に縦方向に間隔を空けて固定された多数の幅方向に沿う細長状の下腹部弾性伸縮部材とを有し、当該伸縮不織布における腸骨当接領域には弾性伸縮部材を有しないものであるとともに、
前ウエスト縁部弾性伸縮部材及び下腹部弾性伸縮部材の二者間で、縦方向配置間隔、太さ、固定時の伸長率及び本数の少なくとも一つを異ならしめることにより、前記Ｆfd＞Ｆfw＞Ｆfiの関係を満たすように構成した、
ことを特徴とする、パンツタイプ使い捨ておむつ。
【０００９】
（作用効果）
本発明の特徴は、下腹部当接領域の幅方向の弾性変形時引張力Ｆfdを最も強くし、次いで前ウエスト縁部領域の幅方向の弾性変形時引張力をＦfwを強くし、腸骨当接領域の幅方向の弾性変形時引張力をＦfi最も弱く（この点では引用文献１と対照的である）した点にある。下腹部はその上側の腸骨領域等と比べて食事の前後や体の動きに伴うお腹の膨縮や変形が格段に少ないため、下腹部当接領域が最もズレにくい領域である。よって、この下腹部当接領域の締め付け力を最も強くすることにより、おむつを体に対してしっかりと支えることができる。また、腸骨当接領域の締め付け力を最も弱くすることにより、お腹の膨縮や変形に対して柔軟に追従することができる。さらに、単に腸骨当接領域の締め付け力を弱めるとズレ落ち易くなるが、本発明では前ウエスト縁部領域の締め付け力は腸骨当接領域よりも強く、また下腹部当接領域の締め付け力を最も強くしているため、これら腸骨当接領域の縦方向両側の領域が支えとなり、腸骨当接領域のズレ落ちも防止することができる。よって、本発明によれば静的なフィット性及び動的なフィット性の双方が向上し、ズレ落ち防止効果に優れたものとなる。
なお、腸骨領域とは、腸骨稜から上前腸骨棘にかけての部位を意味し、下腹部とは恥骨部と鼠蹊部とを合わせた部分であり、腹部の最下部で、外陰部や大腿部に接する所を意味する。また、弾性変形時引張力とは、幅方向の自然長を１００％としたとき、伸びが１５０％における引張力を意味する。
特に、前身頃における腸骨当接領域の縦方向全体にわたり均一に弱い収縮力を発揮させる場合、シート基材に糸ゴム等の弾性伸縮部材を伸長状態で固定する技術では製造が困難である。一方、伸縮不織布のみでズレ落ち防止を図る程度の収縮力を得ることは現状では非現実的である。また、前身頃の各領域に異なる部材を用い継ぎ合わせることも考えられるが製造コストが嵩む等の問題がある。これに対して、上述のように、前ウエスト縁部領域、腸骨当接領域及び下腹部当接領域にわたる一体的な伸縮不織布を基本として、その前ウエスト縁部領域及び下腹部当接領域に細長状の弾性伸縮部材を適宜設けて、Ｆfd＞Ｆfw＞Ｆfiの関係を満たすように構成すると、各領域に適切な締め付け力を容易に付与できるとともに、製造も極めて容易となるため好ましい。特に、腸骨当接領域に伸縮不織布を用いると、腹部の膨らみや上前腸骨棘部位に対して均等かつ柔軟にフィットするため、圧迫感が小さいものとなり、弾性伸縮部材を用いた場合の肌への食い込みも解消できる。
なお、伸縮不織布とは、糸ゴム等の弾性伸縮部材の付加なくして不織布自体が少なくとも幅方向に弾性伸縮するものを意味する。
【００１０】
＜請求項２記載の発明＞
前記後身頃をなす外装シートのうち前記サイドシール部を有する縦方向領域は、前記前ウエスト縁部領域と対応する後ウエスト縁部領域と、前記腸骨当接領域と対応する後中間領域と、前記下腹部当接領域と対応する後下端側領域とからなり、
後ウエスト縁部領域の縦方向長さはおむつ全長の２〜１２％であり、後中間領域の縦方向長さはおむつ全長の２〜１４％であり、後下端側領域の縦方向長さはおむつ全長の５〜１９％であり、
前記後ウエスト縁部領域の幅方向の弾性変形時引張力をＦbw、前記後中間領域の幅方向の弾性変形時引張力をＦbi、前記後下端側領域の幅方向の弾性変形時引張力をＦbdとしたとき、Ｆfd＝Ｆbi＝Ｆbd＞Ｆfw＝Ｆbw＞Ｆfiの関係を満たすように構成した、請求項１記載のパンツタイプ使い捨ておむつ。
【００１１】
（作用効果）
後身頃は、膨らみの大きい部分である臀部に対向する部分であるが、臀部は膨縮や変形の少ない部分であるため、前身頃とは異なり、全体的に強く締め付けると、ズレ落ち防止効果に優れるようになる。
【００１２】
＜請求項３記載の発明＞
前記後身頃をなす外装シートは、少なくとも後ウエスト縁部領域、後中間領域及び後下端側領域にわたる一体的なシート基材と、当該シート基材における後ウエスト縁部領域に縦方向に間隔を空けて幅方向伸長状態で固定された多数の幅方向に沿う細長状の後ウエスト縁部弾性伸縮部材と、当該シート基材における後中間領域に縦方向に間隔を空けて幅方向伸長状態で固定された多数の幅方向に沿う細長状の後第一弾性伸縮部材と、当該シート基材における後下端側領域に縦方向に間隔を空けて幅方向伸長状態で固定された多数の幅方向に沿う細長状の後第二弾性伸縮部材と、を有するものである、請求項１又は２記載のパンツタイプ使い捨ておむつ。
【００１３】
（作用効果）
後身頃は伸縮不織布のような収縮力の弱い素材では十分な締め付けができないため、前身頃とは異なり、全体的に細長状の弾性伸縮部材を多数間隔を空けて配置するのが好ましい。
【発明の効果】
【００１４】
以上のとおり、本発明によれば、腹側における動的なフィット性に優れるようになる、等の利点がもたらされる。
【図面の簡単な説明】
【００１５】
【図１】パンツタイプ使い捨ておむつの内面を示す、おむつを展開した状態における平面図である。
【図２】パンツタイプ使い捨ておむつの外面を示す、おむつを展開した状態における平面図である。
【図３】図１の３−３断面図である。
【図４】図１の４−４断面図である。
【図５】図１の５−５断面図である。
【図６】パンツタイプ使い捨ておむつの要部のみを概略的に示す、斜視図である。
【図７】パンツタイプ使い捨ておむつの要部のみを示す、断面図である。
【図８】パンツタイプ使い捨ておむつの斜視図である。
【図９】パンツタイプ使い捨ておむつの外面を示す、おむつを展開した状態における平面図である。
【図１０】パンツタイプ使い捨ておむつの外面を示す、おむつを展開した状態における平面図である。
【図１１】パンツタイプ使い捨ておむつの縦断面図である。
【図１２】パンツタイプ使い捨ておむつの斜視図である。
【図１３】パンツタイプ使い捨ておむつの外面を示す、おむつを展開した状態における平面図である。
【図１４】パンツタイプ使い捨ておむつの外面を示す、おむつを展開した状態における平面図である。
【発明を実施するための形態】
【００１６】
以下、本発明の実施形態について、添付図面を参照しつつ詳説する。
図１〜図８は、パンツタイプ使い捨ておむつの一例１００を示している。このパンツタイプ使い捨ておむつ１００は、製品外面（裏面）をなす外装シート１２と、外装シート１２の内面に貼り付けられた内装体２００とから構成されているものである。符号Ｙは展開状態におけるおむつの全長（前身頃Ｆのウエスト開口部ＷＯの縁から後身頃Ｂのウエスト開口部ＷＯの縁までの前後方向長さ）を示しており、符号Ｘは展開状態におけるおむつの全幅を示している。
【００１７】
内装体２００は、尿等の排泄物等を吸収保持する部分であり、外装シート１２は着用者に装着するための部分である。なお、断面図における点模様部分は各構成部材を接合する接合部分を示しており、ホットメルト接着剤などのベタ、ビード、カーテン、サミットまたはスパイラル塗布などにより形成されるものである。また、「前後方向（縦方向）」とは腹側（前側）と背側（後側）を結ぶ方向を意味し、「幅方向」とは前後方向と直交する方向（左右方向）を意味し、「上下方向」とはおむつ１００の装着状態、すなわちおむつ１００の前身頃両側部と後身頃両側部を重ね合わせるようにおむつ１００を股間部で２つに折った際に胴回り方向と直交する方向、換言すればウエスト開口部ＷＯ側と股間部側とを結ぶ方向を意味する。
【００１８】
（内装体）
内装体２００は任意の形状を採ることができるが、図示の形態では長方形である。内装体２００は、図３〜図５に示されるように、身体側となる表面シート３０と、不透液性バックシート１１と、これらの間に介在された吸収要素５０とを備えているものであり、吸収機能を担う本体部である。符号４０は、表面シート３０を透過した液を速やかに吸収要素５０へ移行させるために、表面シート３０と吸収要素５０との間に設けられた中間シート（セカンドシート）を示しており、符号６０は、内装体２００の両脇に排泄物が漏れるのを防止するために、内装体２００の両側に設けられた、身体側に起立するバリヤーカフス６０を示している。
【００１９】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００２０】
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
【００２１】
バリヤーカフス６０を設ける場合、表面シート３０の両側部は、不透液性バックシート１１とバリヤーカフス６０との間を通して、吸収要素５０の裏側まで回りこませ、液の浸透を防止するために、不透液性バックシート１１及びバリヤーカフス６０に対してホットメルト接着剤等により接着するのが好ましい。
【００２２】
（中間シート）
表面シート３０を透過した液を速やかに吸収体へ移行させるために、表面シート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。中間シート４０は省略することもできる。
【００２３】
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００２４】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００２５】
（不透液性バックシート）
不透液性バックシート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。不透液性バックシート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、不透液性バックシート１１として用いることができる。
【００２６】
不透液性バックシート１１は、防漏性を高めるために、吸収要素５０の両側を回りこませて吸収要素５０の表面シート３０側面の両側部まで延在させるのが好ましい。この延在部の幅は、左右それぞれ５〜２０ｍｍ程度が適当である。
【００２７】
また、不透液性バックシート１１の内側、特に吸収体５６側面に、液分の吸収により色が変化する排泄インジケータを設けることができる。
【００２８】
（バリヤーカフス）
バリヤーカフス６０は、内装体２００の両側部に沿って前後方向全体にわたり延在する帯状部材であり、表面シート３０上を伝わって横方向に移動する尿や軟便を遮断し、横漏れを防止するために設けられているものである。本実施の形態のバリヤーカフス６０は、内装体２００の側部から起立するように設けられ、付け根側の部分は幅方向中央側に向かって斜めに起立し、中間部より先端側の部分は幅方向外側に向かって斜めに起立するものである。
【００２９】
より詳細には、バリヤーカフス６０は、内装体２００の前後方向長さに等しい長さを有する帯状のバリヤーシート６２を幅方向に折り返して二つに折り重ねるとともに、折り返し部分及びその近傍のシート間に、細長状弾性伸縮部材６３を長手方向に沿って伸長状態で、幅方向に間隔をあけて複数本固定してなるものである。バリヤーカフス６０のうち幅方向において折り返し部分と反対側の端部は内装体２００の側縁部の裏面に固定された取付部分６５とされ、この取付部分６５以外の部分は取付部分６５から突出する突出部分６６（折り返し部分側の部分）とされている。また、突出部分６６のうち前後方向両端部は、取付部分６５から内装体２００の側部を通り表面シート３０の側部表面まで延在し且つこの表面シート３０の側部表面に対してホットメルト接着剤やヒートシールによる前後固定部６７固定された付け根側部分と、この付け根側部分の先端から幅方向外側に折り返され且つ付け根側部分に固定された先端側部分とからなる。突出部分のうち前後方向中間部は非固定の自由部分（内側自由部分）とされ、この自由部分に前後方向に沿う細長状弾性部材６３が伸長状態で固定されている。
【００３０】
バリヤーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、用語「伸長率」は自然長を１００％としたときの値を意味する。また、図示のように、二つに折り重ねたバリヤーシートの間に防水フィルム６４を介在させることもできる。
【００３１】
バリヤーカフス６０の自由部分に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
【００３２】
バリヤーカフス６０の取付部分６５の固定対象は、内装体２００における表面シート３０、不透液性バックシート１１、吸収要素５０等適宜の部材とすることができる。
【００３３】
かくして構成されたバリヤーカフス６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、取付部分６５が内装体２００の裏面側に位置していると、股間部及びその近傍においてバリヤーカフス６０が幅方向外側に開くように起立するため、バリヤーカフス６０が脚周りに面で当接するようになり、フィット性が向上するようになる。
【００３４】
バリヤーカフス６０の寸法は適宜定めることができるが、乳幼児用紙おむつの場合は、例えば図７に示すように、バリヤーカフス６０の起立高さ（展開状態における突出部分６６の幅方向長さ）Ｗ６は１５〜６０ｍｍ、特に２０〜４０ｍｍであるのが好ましい。また、バリヤーカフス６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００３５】
なお、図示形態と異なり、内装体２００の左右各側においてバリヤーカフスを二重に（二列）設けることもできる。
【００３６】
（吸収要素）
吸収要素５０は、吸収体５６と、この吸収体５６の全体を包む包装シート５８とを有する。包装シート５８は省略することもできる。
【００３７】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００３８】
吸収体５６は長方形形状でも良いが、図６にも示すように、前端部、後端部及びこれらの間に位置し、前端部及び後端部と比べて幅が狭い括れ部とを有する砂時計形状を成していると、吸収体５６自体とバリヤーカフス６０の、脚回りへのフィット性が向上するため好ましい。
【００３９】
また、吸収体の寸法は適宜定めることができるが、前後方向及び幅方向において、内装体の周縁部又はその近傍まで延在しているのが好ましい。なお、符号５６Ｘは吸収体５６の幅を示している。
【００４０】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００４１】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００４２】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００４３】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００４４】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００４５】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００４６】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。
【００４７】
（外装シート）
外装シート１２は、股間部から腹側に延在する前身頃Ｆを構成する部分と、股間部から背側に延在する後身頃Ｂを構成する部分とを有し、これら前身頃Ｆの両側部と後身頃Ｂの両側部とがそれぞれ接合されてサイドシール部１２Ａが形成されるとともに、図８に示すように、装着者の胴を通すためのウエスト開口部ＷＯ及び脚を通すための左右一対の脚開口部ＬＯが形成されているものである。なお、股間部とは、展開状態における前身頃Ｆのウエスト端縁から後身頃Ｂのウエスト端縁までの前後方向中央を意味し、それよりも前側の部分及び後側の部分が前身頃Ｆ及び後身頃Ｂをそれぞれ意味する。
【００４８】
外装シート１２は、サイドシール部を有する縦方向領域（ウエスト開口部ＷＯから脚開口部ＬＯの上端に至る縦方向領域）として定まる胴回り部Ｔと、脚開口部ＬＯを形成する部分の前後方向領域（前身頃Ｆのサイドシール部１２Ａを有する前後方向領域と後身頃Ｂのサイドシール部１２Ａを有する前後方向領域と間）として定まる中間部Ｌとを有する。
【００４９】
胴回り部Ｔは、ウエスト開口部の縁部を形成する前ウエスト縁部領域ｆｗ及び後ウエスト縁部ｂｗ（前ウエスト縁部領域と対応する領域）と、これらの股間側に位置し、装着者の腸骨領域に当接する腸骨当接領域ｆｉ及び後中間領域ｂｉ（腸骨当接領域と対応する部分）と、装着者の下腹部に当接する下腹部当接領域ｆｄ及び後下端側領域ｂｄ（下腹部当接領域と対応する部分）とを有しており、それぞれ幅方向に弾性伸縮するように構成されている。
【００５０】
これらの領域の縦方向の長さは、本発明では、前ウエスト縁部領域ｆｗ及び後ウエスト縁部領域ｂｗの縦方向長さはおむつ全長Ｙの２〜１２％、腸骨当接領域ｆｉ及び後中間領域ｂｉの縦方向長さはおむつ全長Ｙの２〜１４％、下腹部当接領域ｆｄ及び後下端側領域ｂｄの縦方向長さはおむつ全長Ｙの５〜１９％とする。特に、サイドシール部１２Ａの縦方向長さがおむつ全長の２０〜３０％の場合、例えば前ウエスト縁部領域ｆｗ及び後ウエスト縁部ｂｗの縦方向長さはおむつ全長Ｙの２〜１０％程度、腸骨当接領域ｆｉ及び後中間領域ｂｉの縦方向長さはおむつ全長Ｙの４〜１２％程度、下腹部当接領域ｆｄ及び後下端側領域ｂｄの縦方向長さはおむつ全長Ｙの８〜１５％程度とすることができる。
【００５１】
一方、中間部Ｌは両側縁が被着者の脚周りに沿うように括れており、ここが着用者の脚を入れる部位となる。この結果、外装シート１２は、全体としては略砂時計形状をなしている。外装シート１２の括れの程度は適宜定めることができ、図１〜図８に示す形態のように、すっきりとした外観とするために最も幅が狭い部分では内装体２００の幅より狭くすることが好ましいが、最も幅が狭い部分でも内装体２００の幅以上となるように定めてもよい。
【００５２】
そして特徴的には、外装シート１２における、前ウエスト縁部領域ｆｗの幅方向の弾性変形時引張力をＦfw、腸骨当接領域ｆｉの幅方向の弾性変形時引張力をＦfi、下腹部当接領域ｆｄの幅方向の弾性変形時引張力をＦfdとしたとき、Ｆfd＞Ｆfw＞Ｆfiの関係を満たすように構成される。このように、身体表面の膨縮や変形が格段に少なく、最もズレにくい下腹部当接領域の締め付け力を最も強くし、身体表面の膨縮や変形が格段に大きい腸骨当接領域ｆｉの締め付け力を最も弱くし、また、前ウエスト縁部領域ｆｗの締め付け力を下腹部当接領域ｆｄに次いで強くすると、下腹部当接領域ｆｄにおいておむつを体に対してしっかりと支えることができるとともに、腸骨当接領域ｆｉにおいてお腹の膨縮や変形に対して柔軟に追従することができる。しかも、単に腸骨当接領域ｆｉの締め付け力の弱さを弱めるとズレ落ち易くなるが、前ウエスト縁部領域ｆｗの締め付け力は腸骨当接領域ｆｉよりも強く、また下腹部当接領域ｆｄの締め付け力を最も強くしているため、これら腸骨当接領域ｆｉの縦方向両側の領域が支えとなり、腸骨当接領域ｆｉのズレ落ちも防止することができる。よって、静的なフィット性及び動的なフィット性の双方が向上し、ズレ落ち防止効果に優れたものとなる。
【００５３】
外装シート１２における、後ウエスト縁部領域ｂｗ、後中間領域ｂｉ及び後下端側領域ｂｄの締め付け力は適宜定めることができるが、後ウエスト縁部領域ｂｗの幅方向の弾性変形時引張力をＦbw、後中間領域ｂｉの幅方向の弾性変形時引張力Ｆbi、後下端側領域ｂｄの幅方向の弾性変形時引張力をＦbdとしたとき、Ｆfd＝Ｆbi＝Ｆbd＞Ｆfw＝Ｆbw＞Ｆfiの関係を満たすように構成されていると好ましい。後身頃Ｂは、膨らみの大きい部分である臀部に対向する部分であるが、臀部は膨縮や変形の少ない部分であるため、前身頃Ｆとは異なり、全体的に強く締め付けると、ズレ落ち防止効果に優れるようになる。
【００５４】
ここに、前述のとおり、弾性変形時引張力とは、幅方向の自然長を１００％としたとき、伸びが１５０％における引張力（ｇｆ）を意味しており、該当領域をおむつから切り出して、幅方向両端部を引張試験機でつかみ、引張速度３００ｍｍ／ｍｉｎで引張試験をすることにより測定できるものである。なお各領域の弾性変形時引張力は適宜定めることができるが、本発明者が実験したところでは、前ウエスト縁部領域ｆｗの幅方向の弾性変形時引張力Ｆfwは５０〜２５０ｇｆ程度、腸骨当接領域ｆｉの幅方向の弾性変形時引張力Ｆfiは２５〜１５０ｇｆ程度、下腹部当接領域ｆｄの幅方向の弾性変形時引張力Ｆfdは７５〜３００ｇｆ程度であるのが好ましく、後ウエスト縁部領域ｂｗの幅方向の弾性変形時引張力Ｆbwは５０〜２５０ｇｆ程度、後中間領域ｂｉの幅方向の弾性変形時引張力Ｆbiは７５〜３００ｇｆ程度、後下端側領域ｂｄの幅方向の弾性変形時引張力Ｆbdは７５〜３００ｇｆ程度であるのが好ましい。
【００５５】
外装シート１２の前ウエスト縁部領域ｆｗ、腸骨当接領域ｆｉ及び下腹部当接領域ｆｄにおける弾性変形時引張力の大小関係は、各領域に異なる部材を用いて継ぎ接ぎにより形成する等、公知の手法により形成することができる。よって例えば、図１０〜図１２に示す参考形態のように、二枚のシート基材１２Ｓ，１２Ｈをホットメルト接着剤等の接着剤により張り合わせて外装シート１２を形成し、胴回りに対するフィット性を高めるために、各領域ｆｗ，ｆｉ，ｆｄ，ｂｗ，ｂｉ，ｂｄにおける両シート基材１２Ｓ，１２Ｈ間に糸ゴム等の細長状弾性伸縮部材１４〜２０を設けた汎用構造を採用することもできる。
【００５６】
図１０〜図１２に示す参考形態について更に説明すると、外装シート１２は、内側に位置する内側シート基材１２Ｈはウエスト開口部ＷＯの縁までしか延在していないが、外側シート基材１２Ｓは内側シート基材１２Ｈのウエスト側の縁を回り込んでその内側に折り返されており、この折り返し部分１２ｒは内装体２００のウエスト側端部上までを被覆するように延在されている。
【００５７】
シート基材１２Ｓ，１２Ｈとしては、シート状のものであれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その坪量は１０〜３０ｇ／ｍ2程度とするのが好ましい。
【００５８】
外装シート１２には、胴回りに対するフィット性を高めるために、両シート基材１２Ｓ，１２Ｈ間に糸ゴム等の細長状弾性伸縮部材１４〜２０が所定の伸長率で設けられている。細長状弾性伸縮部材１４〜２０としては、合成ゴムを用いても、天然ゴムを用いても良い。外装シート１２の両シート基材１２Ｓ，１２Ｈの貼り合せや、その間に挟まれる細長状弾性伸縮部材１４〜２０の固定には種々の塗布方法によるホットメルト接着またはヒートシールや超音波接着を用いることができる。
【００５９】
より詳細には、前ウエスト縁部領域ｆｗ及び後ウエスト縁部領域ｆｗにおける内側シート基材１２Ｈの内側面と外側シート基材１２Ｓの折り返し部分１２ｒの外側面との間には、幅方向全体にわたり連続するように、前ウエスト縁部弾性伸縮部材及び後ウエスト縁部弾性伸縮部材１７がそれぞれ複数本、上下方向に間隔を空けて、かつ所定の伸長率で幅方向に沿って伸長された状態で固定されている。また、前ウエスト縁部弾性伸縮部材及び後ウエスト縁部弾性伸縮部材１７のうち、股間側に配設される１本または複数本については、内装体２００と重なっていてもよいし、内装体２００と重なる幅方向中央部を除いてその幅方向両側にそれぞれ設けてもよい。この前ウエスト縁部弾性伸縮部材及び後ウエスト縁部弾性伸縮部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸長率１５０〜４００％、特に２２０〜３２０％程度で固定することができる。また、前ウエスト縁部弾性伸縮部材及び後ウエスト縁部弾性伸縮部材１７は、その全てが同じ太さと伸長率にする必要はなく、例えばウエスト縁部Ｗの上部と下部で弾性伸縮部材の太さと伸長率が異なるようにしてもよい。
【００６０】
また、腸骨当接領域ｆｉ及び後中間領域ｂｉにおける内側シート基材１２Ｈの外側面と外側シート基材１２Ｓの内側面との間には、内装体２００と重なる幅方向中央部を除いて、その幅方向両側の各部位の幅方向全体にわたり連続するように、細長状弾性伸縮部材からなる腸骨部弾性伸縮部材１９及び後第一弾性伸縮部材１５がそれぞれ複数本、上下方向に間隔を空けて、かつ所定の伸長率で幅方向に沿って伸長された状態で固定されている。  この腸骨部弾性伸縮部材１９及び後第一弾性伸縮部材１５としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率２００〜３５０％、特に２４０〜３００％程度で固定することができる。
【００６１】
また、下腹部当接領域ｆｄ及び後下端側領域ｂｄにおける内側シート基材１２Ｈの外側面と外側シート基材１２Ｓの内側面との間には、内装体２００と重なる幅方向中央部を除いて、その幅方向両側の各部位の幅方向全体にわたり連続するように、細長状弾性伸縮部材からなる下腹部弾性伸縮部材２０及び後第二弾性伸縮部材１４がそれぞれ複数本、上下方向に間隔を空けて、かつ所定の伸長率で幅方向に沿って伸長された状態で固定されている。この下腹部弾性伸縮部材２０及び後第二弾性伸縮部材１４としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率２００〜３５０％、特に２４０〜３００％程度で固定することができる。
【００６２】
さらに、図示形態では、前身頃Ｆ及び後身頃Ｂの中間部Ｌにおける内側シート基材１２Ｈの外側面と外側シート基材１２Ｓの内側面との間には、内装体２００と重なる幅方向中央部を除いて、その幅方向両側の各部位に、幅方向全体にわたり連続するように、細長状弾性伸縮部材からなる中間部弾性伸縮部材１６，１８が複数本、上下方向に間隔を空けて、かつ所定の伸長率で幅方向に沿って伸長された状態で固定されている。中間部弾性伸縮部材１６，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸長率１５０〜３００％、特に１８０〜２６０％で固定することができる。
【００６３】
なお、図示のように、腸骨部弾性伸縮部材１９及び後第一弾性伸縮部材１５、下腹部弾性伸縮部材２０及び後第二弾性伸縮部材１４、並びに中間部弾性伸縮部材１６，１８が、内装体２００と重なる幅方向中央部を除いてその幅方向両側にそれぞれ設けられていると、内装体２００が幅方向に必要以上に収縮することがなく、モコモコと見た目が悪かったり吸収性が低下したりすることがない。この形態には、幅方向両側にのみ弾性伸縮部材１４〜１６，１８〜２０が存在する形態の他、内装体２００を横切ってその幅方向一方側から他方側まで弾性伸縮部材１４〜１６，１８〜２０が存在しているが、内装体２００と重なる幅方向中央部では弾性伸縮部材１４〜１６，１８〜２０が細かく切断され、収縮力が作用せず（実質的には、弾性伸縮部材を設けないことに等しい）に、その幅方向両側のみが収縮力作用部分として構成されている形態も含まれる。もちろん弾性伸縮部材１４〜１６，１８〜２０の配設形態は上記例に限るものではなく、前身頃Ｆ及び後身頃Ｂの幅方向全体にわたり伸縮力が作用するように、弾性伸縮部材１４〜１６，１８〜２０の一部または全部を、内装体２００を横切ってその幅方向一方側から他方側まで設けることもできる。
【００６４】
そして、これらの前ウエスト縁部弾性伸縮部材及び後ウエスト縁部弾性伸縮部材１７、腸骨部弾性伸縮部材１９及び後第一弾性伸縮部材１５、下腹部弾性伸縮部材２０及び後第二弾性伸縮部材１４において、前述の弾性変形時引張力の大小関係を満たすように、縦方向配置間隔、太さ、固定時の伸長率及び本数の少なくとも一つを定める。例えば、前身頃Ｆにおいて前述の弾性変形時引張力の大小関係を満たすように、下腹部弾性伸縮部材２０、前ウエスト縁部弾性伸縮部材１７及び腸骨部弾性伸縮部材１９の順に、固定時の伸長率を５〜１５％程度大きくするか、又は太さを５〜１５％程度太くすることができる。
【００６５】
なお、腸骨当接領域ｆｉの幅方向の弾性変形時引張力を相対的に弱くすると、腸骨当接領域ｆｉのフィット性が低下するおそれがあるため、図１３に示すように、腸骨部弾性伸縮部材１９を、幅方向中央側から幅方向外側に向かうにつれて前ウエスト縁部領域ｆｗ側に位置するように、特に鼠径部に沿うように斜め方向に沿って設けるのも好ましい形態である。
【００６６】
ただし、図１０〜図１２に示す参考形態では、前身頃Ｆにおける腸骨当接領域ｆｉの縦方向全体にわたり均一に弱い収縮力を発揮させることが困難である。そこで、図１〜図６に示す本発明の実施形態では、前述の外装シート１２のうち、前身頃Ｆにおける前ウエスト縁部領域ｆｗ、腸骨当接領域ｆｉ及び下腹部当接領域ｆｄを一体的な伸縮不織布１２Ｇで形成し、これよりも後側の部分と継ぎ合わせるとともに、当該伸縮不織布１２Ｇにおける前ウエスト縁部領域ｆｗ及び下腹部当接領域ｆｄに、内装体２００と重なる幅方向中央部を除いて、その幅方向両側の各部位の幅方向全体にわたり連続するように、細長状弾性伸縮部材からなる前ウエスト縁部弾性伸縮部材１７及び下腹部弾性伸縮部材２０をそれぞれ複数本、上下方向に間隔を空けて、かつ所定の伸長率で幅方向に沿って伸長された状態で固定し、当該伸縮不織布１２Ｇにおける腸骨当接領域ｆｉには弾性伸縮部材を設けない構造を採用し、前ウエスト縁部弾性伸縮部材１７及び下腹部弾性伸縮部材２０の二者間で、縦方向配置間隔、太さ、固定時の伸長率及び本数の少なくとも一つを異ならしめることにより、Ｆfd＞Ｆfw＞Ｆfiの関係を満たすように構成している。この形態では、伸縮性不織布の締め付け力を基本として、前ウエスト縁部領域ｆｗ及び下腹部当接領域ｆｄについては細長状の弾性伸縮部材１７，２０による互いに異なる締め付け力がそれぞれ加わり、上述の引張力の大小関係が形成されるようになる。よって、各領域ｆｗ，ｆｉ，ｆｄに適切な締め付け力を容易に付与できるとともに、製造も極めて容易となるため好ましい。特に、腸骨当接領域ｆｉに伸縮不織布１２Ｇを用いると、腹部の膨らみや上前腸骨棘部位に対して均等かつ柔軟にフィットするため、圧迫感が小さいものとなり、弾性伸縮部材を用いた場合の肌への食い込みも解消できる。
【００６７】
伸縮性不織布１２Ｇは、糸ゴム等の弾性伸縮部材の付加なくして不織布自体が少なくとも幅方向に弾性伸縮するものを意味し、たとえば特開２００８−１５６７８５号公報に記載のように、不織布を一対のギヤの間を通す過程で延伸する、いわゆる「ギヤ延伸」加工法を利用して製造するものや、特開２００１−２００４６０号公報の請求項４に記載のように、第１ウェブと第２ウェブとを間欠的に接合し、伸長加工及び収縮加工を行なうことにより製造するもの等を例示することができる。
【００６８】
図５に示す形態では、伸縮不織布１２Ｇの股間側端部を折り返し、この折り返し部分の間に下腹部弾性伸縮部材２０を挟持固定しているが、下腹部当接領域ｆｄを別体の２枚の伸縮不織布の貼り合わせにより形成し、それらの間に下腹部弾性伸縮部材２０を挟持固定しても良い。
【００６９】
また、図２に示す形態では、内装体２００が下腹部当接領域ｆｄ及び腸骨当接領域ｆｉまで延在しており、この内装体２００と重なる幅方向中央部には下腹部弾性伸縮部材２０を設けていないが、より下腹部当接領域ｆｄにおけるフィット性を高めるために、図９に示すように、内装体２００の前端２０１（少なくとも吸収体５６の前端）を下腹部当接領域ｆｄの股間側の縁と同じか又はその近傍までとし、下腹部当接領域ｆｄの幅方向全体にわたり連続するように下腹部弾性伸縮部材２０を設けるのも好ましい形態である。
【００７０】
（外装シート分割構造）
上述の例では、前身頃Ｆから後身頃Ｂまでを一体的な外装シート１２により連続的に覆っているが、図１４に示すように、外装シート１２が、装着者の胴回りのうち腹側を覆う腹側外装シート１２Ｆと背側を覆う背側外装シート１２Ｂとに分割されており、腹側外装シート１２Ｆの幅方向中央部内面に内装体２００の前端部がホットメルト接着剤等により連結されるとともに、背側外装シート１２Ｂの幅方向中央部内面に内装体２００の後端部がホットメルト接着剤等により連結されており、腹側外装シート１２Ｆと背側外装シート１２Ｂとが股間側で連続しておらず、離間されている形態も採用することができる。この離間距離は１５０〜２５０ｍｍ程度とすることができる。この場合、内装体２００における不透液性バックシートの裏面には、内装体２００の裏面全体を覆うように、あるいは腹側外装シート１２Ｆと背側外装シート１２Ｂとの間に露出する部分の一部又は全体を覆うように、股間部外装シートを固定することもできる。股間部外装シートとしては、前述した外装シートに用いられるものと同様の資材を用いることができる。
【００７１】
図１４に示す形態は、腹側外装シート１２Ｆ全体を図１〜６に示す形態と同様の伸縮不織布で形成し、当該腹側外装シート１２Ｆにおける前ウエスト縁部領域ｆｗ及び下腹部当接領域ｆｄに前ウエスト縁部弾性伸縮部材１７及び下腹部弾性伸縮部材２０をそれぞれ設け、当該腹側外装シート１２Ｆにおける腸骨当接領域ｆｉには弾性伸縮部材を設けない構造を採用しているが、図１０〜図１２に示す参考形態と同様にする場合は、シート基材を貼り合わせるとともに、それらの間に前ウエスト縁部弾性伸縮部材１７、腸骨部弾性伸縮部材１９及び下腹部弾性伸縮部材２０を設けることにより、腹側外装シート１２Ｆを構成することもできる。
【００７２】
（後処理テープ）
外装シート１２の後身頃Ｂの外面における幅方向中央部には、後処理テープ７０（固定手段）が設けることができる。後処理テープ７０は、おむつ１００を表面シート３０が内側に且つ前身頃Ｆが内側となるように丸め若しくは折り畳んだ状態で固定するためのものである。一般的な後処理テープ７０は、図５に示すように、基端部７１が外装シート１２の外面に接着剤等により固定されるとともに、この基端部７１よりも先端側の部分は三つ折り（断面Ｚ字状）や二つ折りで折り畳まれて、折り重なり部分間が仮止め接着剤７２により剥離可能に固定（仮固定）されている。また、先端部に白色等の不透明色に着色された摘み部７３を有するとともに、この摘み部７３を除く部分が透明または半透明であり、この後処理テープ７０における透明または半透明の部分を通して、後処理テープ７０の外面側から後述するデザインが視認可能になっている。具体的な構造は適宜構成することができるが、図示形態では、全体を透明又は半透明の複数の基材を長手方向に連結して形成するとともに、摘み部７３に着色テープ７４を張り合わせた構造を採用している。
【００７３】
廃棄時には、おむつ１００を表面シート３０が内側になるとともに前身頃Ｆが内側となるように丸め若しくは折り畳んだ後、後処理テープ７０の折り重なり部分を剥離して展ばし、丸めた若しくは折り畳んだおむつ１００の後身頃Ｂからウエスト開口部ＷＯを越えて反対側の外面まで巻き付けるようにして接着剤により固定する。後処理テープ７０は、不使用時にはコンパクトに折り畳まれ、使用時には長尺状に展開できる三つ折り形状のものが特に好適である。
【００７４】
後処理テープ７０等の固定手段は、前身頃Ｆに設けてもよく、後身頃Ｂと前身頃Ｆの両方に設けてもよい。
【産業上の利用可能性】
【００７５】
本発明は、上記例のようなパンツタイプ使い捨ておむつに利用できるものである。
【符号の説明】
【００７６】
１１…不透液性バックシート、１２…外装シート、１２ｒ…折り返し部分、２５…印刷シート、２００…内装体、３０…トップシート、４０…中間シート、５０…吸収要素、５６…吸収体、５８…包装シート、６０…側部バリヤーカフス、６２…バリヤーシート、ｆｗ…前ウエスト縁部領域、ｆｉ…腸骨当接領域、ｆｄ…下腹部当接領域、ｂｗ…後ウエスト縁部領域、ｂｉ…後中間領域、ｂｄ…後下端側領域。
【図１】
0005748817.tif 000002
【図２】
0005748817.tif 000003
【図３】
0005748817.tif 000004
【図４】
0005748817.tif 000005
【図５】
0005748817.tif 000006
【図６】
0005748817.tif 000007
【図７】
0005748817.tif 000008
【図８】
0005748817.tif 000009
【図９】
0005748817.tif 000010
【図１０】
0005748817.tif 000011
【図１１】
0005748817.tif 000012
【図１２】
0005748817.tif 000013
【図１３】
0005748817.tif 000014
【図１４】
0005748817.tif 000015